(57)【要約】【課題】  簡単な構成でレンズ鏡胴の進退に対応できるフレキシブルプリント配線基板を備えた撮像装置を提供すること。【解決手段】  撮像装置において、レンズ鏡胴の移動部に配置された鏡胴側電気部品と、撮像装置本体内に配置された本体側電気部品との接続を行うフレキシブルプリント配線基板は、鏡胴側電気部品との接続部から光軸と略平行に撮像装置本体の方向に所定の長さで引き出して、光軸と略直交し、かつ前記レンズ鏡胴の辺縁側から光軸の中心方向に向けて曲折させた第１曲折部と、第１曲折部から所定の長さの位置で、レンズ鏡胴の辺縁側に略１８０度に曲折させて固定した折り返し部と、折り返し部から所定の長さの位置で、光軸と略平行に撮像装置本体の方向に曲折させた第２曲折部と、第２曲折部から所定の長さの位置で、光軸と略平行に被写体の方向にＵ字型に湾曲させた第３の曲折部とを設けたこと。【選択図】        図２
2006313249.tif 000002
【特許請求の範囲】
【請求項１】
被写体光像を光電変換して画像取り込みを行う撮像素子を有する撮像装置本体と、
光軸方向に移動可能に設けられた移動部と、前記撮像装置本体に固定された固定筒とを有し、被写体光像を結像させるレンズ鏡胴とを有する撮像装置において、
前記移動部に配置された鏡胴側電気部品と、
前記撮像装置本体内に配置された本体側電気部品と、
前記鏡胴側電気部品と前記本体側電気部品との接続を行うフレキシブルプリント配線基板とを有し、
前記フレキシブルプリント配線基板は、
前記鏡胴側電気部品との接続部から光軸と略平行に前記撮像装置本体の方向に所定の長さで引き出されたフレキシブルプリント配線基板を、光軸と略直交し、かつ前記レンズ鏡胴の辺縁側から光軸の中心方向に向けて曲折させた第１曲折部と、
前記第１曲折部から所定の長さの位置で、前記フレキシブルプリント配線基板を、前記レンズ鏡胴の辺縁側に略１８０度に曲折させて固定した折り返し部と、
前記折り返し部から所定の長さの位置で、前記フレキシブルプリント配線基板を、光軸と略平行に前記撮像装置本体の方向に曲折させた第２曲折部と、
前記第２曲折部から所定の長さの位置で、前記フレキシブルプリント配線基板を、光軸と略平行に被写体の方向にＵ字型に湾曲させた第３の曲折部と、
前記第３の曲折部から所定の長さの位置で、前記フレキシブルプリント配線基板を、前記固定筒の内面に固定させる固定部とを有することを特徴とする撮像装置。
【請求項２】
前記レンズ鏡胴は、前記撮像装置本体に収納可能な沈胴式であり、前記移動部は、少なくとも前記レンズ鏡胴が前記撮像装置本体に収納されるときに移動することを特徴とする請求項１に記載の撮像装置。
【請求項３】
前記レンズ鏡胴は、多段繰り出し式であり、複数の可動レンズ群からなる可変焦点光学系を有することを特徴とする請求項１または２に記載の撮像装置。
【請求項４】
前記移動部は、前記可動レンズ群の少なくとも１群を保持して移動し、
前記移動部の移動に伴って光軸の中心方向に突出する前記折り返し部の突出量は、前記可動レンズ群の焦点距離が、望遠側の位置にある時よりも広角側の位置にある時の方が、大きいことを特徴とする請求項３に記載の撮像装置。
【請求項５】
前記レンズ鏡胴は、被写体側から、少なくとも第１レンズ群、第２レンズ群を有し、
前記移動部は、前記第１レンズ群を保持して移動し、
変倍時の前記第２レンズ群の移動量は前記第１レンズ群の移動量よりも小さく、
前記折り返し部は、前記第１レンズ群と前記第２レンズ群との間に位置することを特徴とする請求項４に記載の撮像装置。
【請求項６】
前記フレキシブルプリント配線基板は少なくとも、第１のフレキシブルプリント配線基板と第２のフレキシブルプリント配線基板からなり、
前記折り返し部は、前記第１のフレキシブルプリント配線基板と前記第２のフレキシブルプリント配線基板が接合されて構成されることを特徴とする請求項１乃至５の何れか１項に記載の撮像装置。
【発明の詳細な説明】
【技術分野】
【０００１】
本発明は撮像装置に関する。詳しくは、レンズ鏡胴の内部に配置された所定の電気部品と、撮像装置本体との間で電気的接続を行うフレキシブルプリント配線基板を備えた撮像装置に関する。
【背景技術】
【０００２】
近年、デジタルカメラ等の撮像装置では、小型化が進展するに伴い、沈胴式のズームレンズを搭載したデジタルカメラが一般的に実用化されている。
【０００３】
しかしながら、後述の鏡胴の内部とカメラ本体との間に、電子部品との間で電気的接続を行うためのフレキシブルプリント配線基板の構成は、従来の銀塩カメラで行われているのと同様の構成が採られている。すなわち、デジタルカメラと銀塩カメラでは、撮像エリアに対するレンズの相対的な大きさが異なり、同じ大きさのレンズであれば鏡胴内における光束の断面積は、デジタルカメラの方が、銀塩カメラよりも小さいことから、鏡胴内で利用できる空間が大きいが、この空間を有効に利用したフレキシブルプリント配線基板の構成になっていない。
【０００４】
例えば２段筒の鏡胴構造では、カメラ本体に固定された固定筒、固定筒の内側で光軸方向に進退する中間筒、及び、中間筒の内側で中間筒に対して光軸方向に進退する可動筒を備えている。可動筒には、撮影レンズの他に、例えばシャッタ機構等の電子部品が内蔵されている。
【０００５】
そこで、従来、可動筒の内部とカメラ本体との間に、電子部品との間で電気的接続を行うためのフレキシブルなプリント配線基板を通して配置している。このフレキシブルプリント配線基板は、一端が可動筒の電子部品に接続されており、後端がカメラボディの内部に導かれており、その後端寄りでは、可動筒の繰り出しに加えて中間筒の繰り出し分も含めた長さ分だけＳ字状に弛ませて配置されている。この様にすることで、可動筒及び中間筒の繰り出しに応じてフレキシブルプリント配線基板が弛み部から引っ張りだされ、また、後退するときには再びＳ字状に弛んだ状態に戻るようになる。この様にズームレンズ装置を内蔵したデジタルカメラにおいては、鏡胴の全長が大きく伸縮し、これに伴い、フレキシブルプリント配線基板も伸縮する様に工夫する必要がある。そして撮像装置の分野では効率よくフレキシブルプリント配線基板を伸縮させる技術がこれまでも種々検討されてきた。
【０００６】
例えば、代表的な従来技術として、フレキシブルプリント配線基板をＳ字状に曲折させ、ガイド部材に沿わせた構成が開示されている（例えば、特許文献１参照）。
【０００７】
特許文献１に記載の構成を図６に示す。図６（ａ）は鏡胴を沈胴させたときの図、図６（ｂ）は鏡胴を繰り出したときの図である。図６において、フレキシブルプリント配線基板５１は固定したガイド部材５２、５３に沿ってＳ字状に曲折している。従って、鏡胴の進退に伴って、後端の曲折部５１ａが進退する様にすることによりフレキシブルプリント配線基板を伸縮させる様にしている。
【０００８】
また、フレキシブルプリント配線基板を複数部位で曲折させた構成が開示されている（例えば、特許文献２参照）。特許文献２に記載の構成を図７に示す。図７（ａ）は鏡胴を沈胴させたときの図、図７（ｂ）は鏡胴を繰り出したときの図である。図７において、フレキシブルプリント配線基板５１は、複数の曲折部５１ｂを設けることにより、鏡胴が進退しても無理なくそのその進退に対応できる様にしている。
【特許文献１】実公平７−４９４７１号公報
【特許文献２】特開２００３−１３１１０５号公報
【発明の開示】
【発明が解決しようとする課題】
【０００９】
ところが、近年ズーム比の拡大により可動筒や中間筒の繰り出し量が大きくなっている。
【００１０】
特許文献１に記載の図６の如き構成では、これに伴ってフレキシブルプリント配線基板を弛ませる長さも長くする必要があり、相当長いものが必要となる。しかしながらフレキシブルプリント配線基板は比較的高価であるので、装置の高価格化を招く恐れがある。また、フレキシブルプリント配線基板の弛ませる長さを長くすると、フレキシブルプリント配線基板５１の曲折部５１ａの円弧を大きくする必要がある。従って、レンズ鏡胴内に曲折部５１ａを退避させる大きな空隙が必要になり、レンズ鏡胴の寸法が大きくなってしまうのでコンパクト化の障害となる欠点がある。この様に特許文献１に開示されている技術は、デジタルカメラにおいては、鏡胴内で利用可能なより広い空間を有効に利用したフレキシブルプリント配線基板の構成になっていない。
【００１１】
また、特許文献２に開示されている技術は、前述の空間を考慮したフレキシブルプリント配線基板の構成が採られている。しかしながら、特許文献２に記載の図７の如き構成では、鏡胴の進退に伴い、フレキシブルプリント配線基板５１の鋭角に曲折された曲折部５１ｂが開閉する。従って使用回数が多くなるに伴い曲折部５１ｂの配線パターンが断線する恐れがある。
【００１２】
本発明は、上記課題を鑑みてなされたもので、レンズ鏡胴の内部に配置され所定の電気部品を有して光軸方向に沿って移動する電気ユニットと、カメラ本体との間で電気的接続を行うフレキシブルプリント配線基板を備えた撮像装置において、鏡胴の繰り出しを大きくするに伴ってフレキシブルプリント配線基板の配線を安全に処理し、かつ、装置全体の小型化、および低価格化に寄与することが可能な撮像装置を提供することを目的とする。
【課題を解決するための手段】
【００１３】
上記目的は、下記の請求項１乃至６のいずれか１項に記載の発明によって達成される。
（請求項１）
被写体光像を光電変換して画像取り込みを行う撮像素子を有する撮像装置本体と、
光軸方向に移動可能に設けられた移動部と、前記撮像装置本体に固定された固定筒とを有し、被写体光像を結像させるレンズ鏡胴とを有する撮像装置において、
前記移動部に配置された鏡胴側電気部品と、
前記撮像装置本体内に配置された本体側電気部品と、
前記鏡胴側電気部品と前記本体側電気部品との接続を行うフレキシブルプリント配線基板とを有し、
前記フレキシブルプリント配線基板は、
前記鏡胴側電気部品との接続部から光軸と略平行に前記撮像装置本体の方向に所定の長さで引き出されたフレキシブルプリント配線基板を、光軸と略直交し、かつ前記レンズ鏡胴の辺縁側から光軸の中心方向に向けて曲折させた第１曲折部と、
前記第１曲折部から所定の長さの位置で、前記フレキシブルプリント配線基板を、前記レンズ鏡胴の辺縁側に略１８０度に曲折させて固定した折り返し部と、
前記折り返し部から所定の長さの位置で、前記フレキシブルプリント配線基板を、光軸と略平行に前記撮像装置本体の方向に曲折させた第２曲折部と、
前記第２曲折部から所定の長さの位置で、前記フレキシブルプリント配線基板を、光軸と略平行に被写体の方向にＵ字型に湾曲させた第３の曲折部と、
前記第３の曲折部から所定の長さの位置で、前記フレキシブルプリント配線基板を、前記固定筒の内面に固定させる固定部とを有することを特徴とする撮像装置。
（請求項２）
前記レンズ鏡胴は、前記撮像装置本体に収納可能な沈胴式であり、前記移動部は、少なくとも前記レンズ鏡胴が前記撮像装置本体に収納されるときに移動することを特徴とする請求項１に記載の撮像装置。
（請求項３）
前記レンズ鏡胴は、多段繰り出し式であり、複数の可動レンズ群からなる可変焦点光学系を有することを特徴とする請求項１または２に記載の撮像装置。
（請求項４）
前記移動部は、前記可動レンズ群の少なくとも１群を保持して移動し、
前記移動部の移動に伴って光軸の中心方向に突出する前記折り返し部の突出量は、前記可動レンズ群の焦点距離が、望遠側の位置にある時よりも広角側の位置にある時の方が、大きいことを特徴とする請求項３に記載の撮像装置。
（請求項５）
前記レンズ鏡胴は、被写体側から、少なくとも第１レンズ群、第２レンズ群を有し、
前記移動部は、前記第１レンズ群を保持して移動し、
変倍時の前記第２レンズ群の移動量は前記第１レンズ群の移動量よりも小さく、
前記折り返し部は、前記第１レンズ群と前記第２レンズ群との間に位置することを特徴とする請求項４に記載の撮像装置。
（請求項６）
前記フレキシブルプリント配線基板は少なくとも、第１のフレキシブルプリント配線基板と第２のフレキシブルプリント配線基板からなり、
前記折り返し部は、前記第１のフレキシブルプリント配線基板と前記第２のフレキシブルプリント配線基板が接合されて構成されることを特徴とする請求項１乃至５の何れか１項に記載の撮像装置。
【発明の効果】
【００１４】
請求項１に記載の本発明によれば、フレキシブルプリント配線基板は、光軸方向へ突出した折り返し部を設ける様にしているので、鏡胴側電気部品が進退しても、無理なくその進退に対応することができる。従って従来技術の様にＳ字状に弛ませて長さを長くする必要が無く、かつ、弛み部の為のスペースも必要がないことから、簡単な構成で装置の低価格化、及びコンパクト化に寄与することができる様になる。また、折り返し部は、鏡胴側電気部品が進退しても開閉しない様に固定しているので、使用回数が多くなった場合においても配線パターンの断線を防止することができる様になる。また、第３の曲折部で形成されるＵ字型に湾曲させた円弧により、鏡胴側電気部品の進退に伴って光軸の中心方向に突出する折り返し部の突出量を制御する様にしているので、折り返し部により光路が遮蔽されることを防ぐことができる様になる。
【００１５】
請求項２又は請求項３に記載の本発明によれば、沈胴式、または多段繰り出し式のレンズ鏡胴においては、鏡胴側電気部品の移動量が大きいことから従来技術の様にＳ字状に弛ませる方法では相当長いものが必要となるが、本発明の構成にすることにより装置の低価格化、及びコンパクト化に大きく寄与することができる様になる。
【００１６】
請求項４に記載の本発明によれば、折り返し部の突出量は、焦点距離が望遠側の位置にある時よりも広角側の位置にある時の方が大きくなる様な構成にしているので、フレア等が発生し易い広角側において、突出した折り返し部により迷光等の有害光を遮蔽し、フレアの発生を低減することができる様になる。
【００１７】
請求項５に記載の本発明によれば、折り返し部は、第１レンズ群と第２レンズ群との間に位置する構成にしているので、フレア等が発生し易い広角側において、突出した折り返し部により迷光等の有害光を遮蔽し、フレアの発生を低減することができる様になる。
【００１８】
請求項６に記載の本発明によれば、折り返し部は、異なる２種のフレキシブルプリント配線基板を接合した構成にしているので、配線パターンが断線することなく、信頼性が大きく向上する。さらに、１つのフレキシブルプリント配線基板の形状は小さくなることより、同じ大きさのシートからの取り数を増やすことができるので、低価格化に寄与することができる様になる
【発明を実施するための最良の形態】
【００１９】
以下図面に基づいて、本発明の実施形態に係わる撮像装置について説明する。
【００２０】
図１（ａ）は、本発明に係る撮像装置の代表的な実施形態の１つであるデジタルカメラ１の正面図である。図１（ｂ）は側面図である。図に示す様に、デジタルカメラ１は、本発明における撮像装置本体に該当するカメラ本体２０、及び、レンズ鏡胴１０よりなる。
【００２１】
次に、図２乃至図４を用いて本発明に係るレンズ鏡胴の実施形態の１つである２段繰り出し、沈胴式レンズ鏡胴１０の構成について説明する。
【００２２】
図２は、レンズ鏡胴１０が望遠端にある時の状態を示す断面模式図であり、図３は、レンズ鏡胴１０が広角端にある時の状態を示す断面模式図であり、図４は、レンズ鏡胴１０が沈胴（格納）時にある状態を示す断面模式図である。
【００２３】
図２に示す様に、レンズ鏡胴１０は、カメラ本体２０内に固定された固定筒１００と、固定筒１００の内側にヘリコイド結合された回転筒２００と、回転筒に内包されて回転筒２００と一体的に光軸方向へ移動する直進筒３００、及び直進筒に内包されて回転筒２００と同位相で回転し光軸方向に移動するカム筒４００とから構成され、固定筒１００から２段が繰り出す様になっている。
【００２４】
また、ズーム機構は、第１レンズ群５００、第２レンズ群６００、及び、第３レンズ群７００からなる３群構成のズームレンズであり、第１レンズ群５００は第１レンズ枠５１０に保持され、第２レンズ群６００は第２レンズ枠６１０に保持され、第３レンズ群７００は第３レンズ枠７１０に保持されている。
【００２５】
図２において、カメラ本体２０内に固定されている円筒状の固定筒１００は、その内周面に雌ヘリコイド１０１を形成している。雌ヘリコイド１０１に係合する雄ヘリコイド２０１を外周面に形成した回転筒２００が、固定筒１００に内包されるようにして取り付けられている。
【００２６】
回転筒２００に内包された直進筒３００が、回転筒２００と一体的に光軸方向に移動するように配置されている。直進筒３００の光軸方向カメラ本体２０側（図２（ａ）で右側）の端部外周に突起３０１が形成されており、突起３０１が、固定筒１００の内周に形成され光軸方向に延在する図示しないガイド溝に係合しているので、直進筒３００は、回転筒２００の回転に関わらず、固定筒１００に対して回転不能に支持され、光軸方向に沿ってのみ移動可能となっている。
【００２７】
直進筒３００の内周には図示しないカム溝が形成されており、該カム溝に係合する駆動ピン４０１をカメラ本体２０側端部外周に形成したカム筒４００が、直進筒３００に内包される形で、直進筒３００に対して光軸方向に移動可能に配置されている。
【００２８】
カム筒４００の外周に設けられた駆動ピン４０１が、直進筒３００の内周に形成されたカム溝を貫通し、回転筒２００の内周に形成され光軸方向に延在する図示しないガイド溝に係合しているので、それによりカム筒４００は回転筒２００と同位相で回転し繰り出される。
【００２９】
カム筒４００には、第１レンズ群５００を保持する第１レンズ枠５１０が取り付けられている。また、第２レンズ群６００を保持する第２レンズ枠６１０の図示しないキー部が直進筒３００の図示しない直進溝に嵌合している。また、固定筒１００には、図示しないガイドピンが光軸と平行に立設しており、第３レンズ群７００を保持する第３レンズ枠７１０に設けた孔が該ガイドピンに嵌合し、第３レンズ枠７１０は光軸方向へのみ移動する。
【００３０】
また、本発明における鏡胴側電気部品に該当するシャッタユニット９１０には、セクタ９２０を開閉駆動させる機械部品、及び電気部品が内蔵されていて、本発明に係る移動部として第２レンズ枠６１０と一体的に組み立てられている。無論、セクタ９２０だけでなく、絞りを開閉駆動させる機構が内蔵されていてもよい。
【００３１】
また、ＣＣＤエリアセンサ９３０は、Ｒ（赤）光、Ｇ（緑）光、Ｂ（青）光の各色透過フィルタをピクセル単位（画素単位）で市松模様状に配置させたカラーエリア撮像センサで、光学系により結像された被写体光像を、Ｒ（赤）光、Ｇ（緑）光、Ｂ（青）光の各色成分の画像信号（各画素単位で受光された画素信号の信号列からなる信号）に光電変換し、画像取り込みを行うものである。
【００３２】
ここで、上述の様な構成のレンズ鏡胴１０において行われる繰り出し動作を説明する。図示しないモータからの動力により、ピニオン等が回転し、これらと噛合するギヤ部２０２を介して回転力を受けることで、回転筒２００が回転すると、雌ヘリコイド１０１、雄ヘリコイド２０１の作用により、回転筒２００は固定筒１００に対して繰り出される（図２で左方に移動する）。
【００３３】
回転筒２００が繰り出されると、直進筒３００は回転することなく一体的に繰り出される。直進筒３００が繰り出されると、カム筒４００の外周に設けられた駆動ピン４０１が、直進筒３００の内周に形成されたカム溝を貫通し、回転筒２００の内周に形成され光軸方向に延在する図示しないガイド溝に係合しているので、それによりカム筒４００は回転筒２００と同位相で回転し繰り出される。また、モータを逆転させることで、以上の動作が逆に実行され、レンズ鏡筒は沈胴する様になっている。
【００３４】
そして、任意のズーム位置で、撮影者が図示しないのレリーズボタンを押すことで、カメラ本体２０内のＣＰＵは、適切な露光量を計算し、それに応じた信号がフレキシブルプリント配線基板８００を介して、シャッタユニット９１０に送信され、シャッタユニット９１０は、セクタ９２０を適切なシャッタ速度で駆動する様になっている。
【００３５】
次に、フレキシブルプリント配線基板８００の構成、及び、レンズ鏡胴１０の繰り出し動作に伴う、動きについて図２を用いて説明する。
【００３６】
図２に示す様に、フレキシブルプリント配線基板８００（以下、フレキシブル基板８００と称する。）は、一端がシャッタユニット９１０に固定され、他方は、カメラ本体２０内にある本体側電気部品に相当する図示しない配線基板に固着されている。そしてカメラ本体２０内にある該配線基板からシャッタユニット９１０に電源を供給したり、制御信号を送信したりする。
【００３７】
最初に、レンズ鏡胴１０が望遠端にある時のフレキシブル基板８００の状態について、図２を用いて説明する。
【００３８】
フレキシブル基板８００を、シャッタユニット９１０との接続部８０１ｆから光軸と略平行にカメラ本体２０の方向に所定の長さで引き出して、光軸と略直交し、かつレンズ鏡胴１０の辺縁側から光軸の中心方向に向けて曲折させる。この曲折部を第１曲折部８０１ａと称す。
【００３９】
そして、第１曲折部８０１ａから所定の長さの位置で、レンズ鏡胴１０の辺縁側に略１８０度に曲折させて、曲折部を後述の粘着テープａ８０２ａによって固定する。この曲折部を折り返し部８０１ｂと称す。
【００４０】
続いて、折り返し部８０１ｂから所定の長さの位置で、光軸と略平行にカメラ本体２０の方向に曲折させる。この曲折部を第２曲折部８０１ｃと称す。
【００４１】
更に、第２曲折部８０１ｃから所定の長さの位置で、光軸と略平行に被写体の方向にＵターンさせてＵ字型に湾曲させる。この曲折部を第３曲折部８０１ｄと称す。
【００４２】
最後に、第３曲折部８０１ｄから所定の長さの位置で、固定筒１００の内周面に後述の粘着テープｂ８０２ｂによって固定し、この固定部８０１ｅの近傍に位置し、固定筒１００の周面に設けられた矩形の開口部１０２を通って外周面に抜け、その端部はカメラ本体２０の図示しない配線基板に接続されている。
【００４３】
ここで、折り返し部８０１ｂ、及び、固定部８０１ｅについて図５を用いて説明する。
【００４４】
図５（ａ）は、フレキシブル基板８００の模式図である。図５（ａ）に示す様に、折り返し部８０１ｂは、粘着テープａ８０２ａによって、外周面が固定されている。フレキシブル基板８００は、シャッタユニット９１０の進退に伴い光軸方向に移動し伸縮するが、この時に折り返し部８０１ｂが開閉することにより配線パターンが断線するのを、粘着テープａ８０２ａで折り返し部８０１ｂが開閉しない様に固定することにより防止している。
【００４５】
更に、図２に示す様に、第１曲折部８０１ａから折り返し部８０１ｂまでの長さは、折り返し部８０１ｂが光路１Ｌ１を遮蔽しない長さに設定されている。
【００４６】
また、図５（ａ）に示す様に、固定部８０１ｅは、粘着テープｂ８０２ｂによって、固定筒１００の内周面に固定されている。この様にすることで、シャッタユニット９１０がカメラ本体２０の方向へ移動した時に、後述する様に、第３の曲折部８０１ｄで形成されるＵ字型の円弧が、固定部８０１ｅを起点としてカメラ本体２０の方向へ膨らみ、折り返し部８０１ｂが、被写体側に倒れ込むことにより、図３に示す様に光路２Ｌ２を遮蔽しない様にしている。
【００４７】
次に、レンズ鏡胴１０が広角端にある時のフレキシブル基板８００の状態について、図３を用いて説明する。
【００４８】
図３に示す様に、ズーム位置が広角側に移動すると、第３レンズ群７００の移動量に比べ第２レンズ群６００がカメラ本体２０側に大きく移動し、第２レンズ枠６１０と一体的に組み立てられているシャッタユニット９１０がカメラ本体２０側に移動する。シャッタユニット９１０がカメラ本体２０側に移動すると、フレキシブル基板８００のカメラ本体２０側の端部は、固定部８０１ｅで固定筒１００の内周面に粘着テープｂ８０２ｂで固定されている為、第３の曲折部８０１ｄで形成されるＵ字型の円弧が、固定部８０１ｅを起点としてカメラ本体２０の方向へ膨らむ。第３の曲折部８０１ｄカメラ本体２０の方向へ膨らむと、第２曲折部８０１ｃの曲折角度が開き略直線状になる。そして第２曲折部８０１ｃ略直線状になることにより、折り返し部８０１ｂは被写体側に倒れ込む様になる。この様にズーム位置が、広角側に移動した場合においても、折り返し部８０１ｂは光軸方向へ突出することなく、被写体側に倒れ込む様になるので、光路２Ｌ２が遮蔽される様なことはない。
【００４９】
ところで、負の屈折力のレンズ群が先行するネガティブリード型（本実施形態においては、被写体側より順に、負の屈折力の第１レンズ群５００、正の屈折力の第２レンズ群６００、正の屈折力の第３レンズ群７００）の光学系を備えたレンズ鏡胴１０においては、第２レンズ群６００（変倍レンズ）を光軸の後方（広角側）に移動すると、レンズ鏡胴１０の内周面に外光が直接当たるようになるので、レンズ鏡胴１０内で内面反射が生じフレア、ゴースト等の悪影響が生じ易くなる。そこで、折り返し部８０１ｂによってフレア、ゴースト等の影響を低減させる様にしている。具体的には、フレキシブルプリント基板８００を黒色にし、図２、図３に示す様に、折り返し部８０１ｂを第２レンズ群６００と第３レンズ群７００との間に設け、更に、折り返し部８０１ｂの光軸方向への突出量は、焦点距離が望遠側の位置にある時よりも広角側の位置にある時の方が大きくなる様な構成にしているので、フレア、ゴースト等が発生し易い広角側において、突出した折り返し部８０１ｂにより迷光等の有害光を遮蔽し、フレア、ゴースト等の発生を低減することができる様になる。また、通常撮影状態において、フレキシブルプリント基板８００は、レンズ鏡胴１０の内面下部に配置しているので、上方からの太陽等のフレアの原因となる光を効果的に遮蔽できる様になる。
【００５０】
最後に、レンズ鏡胴１０が沈胴（格納）時にある時のフレキシブル基板８００の状態について、図４を用いて説明する。
【００５１】
図４に示す様に、レンズ鏡胴１０が沈胴時においては、回転筒２００、カム筒４００がカメラ本体２０側に移動し、固定筒１００の内部に格納される。フレキシブル基板８００は、回転筒２００、カム筒４００の移動に伴いカメラ本体２０側に押されて固定筒１００の後端面に格納される。また、折り返し部８０１ｂは更に被写体側に倒れ込んで第２レンズ群６００と第３レンズ群７００との間に格納される様になる。
【００５２】
以上の様に、フレキシブル基板８００は、光軸方向へ突出した折り返し部８０１ｂを設ける様にしているので、シャッタユニット９１０が進退しても、無理なくその進退に対応することができる。従って従来技術の様にＳ字状に弛ませて長さを長くする必要が無く、かつ、弛み部の為のスペースも必要がないことから、簡単な構成で装置の低価格化、及びコンパクト化に寄与することができる様になる。また、折り返し部８０１ｂは、シャッタユニット９１０が進退しても開閉しない様に固定しているので、使用回数が多くなった場合においても配線パターンの断線を防止することができる様になる。また、第３曲折部８０１ｄで形成されるＵ字型の円弧により、シャッタユニット９１０の進退に伴って光軸の中心方向に突出する折り返し部８０１ｂの突出量を制限する様にしているので、折り返し部８０１ｂにより光路が遮蔽されることを防ぐことができる様になる。更に、折り返し部８０１ｂを第２レンズ群６００と第３レンズ群７００との間に設け、また、折り返し部８０１ｂの光軸方向への突出量は、焦点距離が望遠側の位置にある時よりも広角側の位置にある時の方が大きくなる様な構成にしているので、フレア、ゴースト等が発生し易い広角側において、突出した折り返し部８０１ｂにより迷光等の有害光を遮蔽し、フレア、ゴースト等の発生を低減することができる様になり、フレキシブル基板の配線を安全に処理し、かつ、装置全体の小型化、および低価格化に寄与することが可能な撮像装置を提供することができる様になった。
【００５３】
以上、本発明を実施の形態を参照して説明してきたが、本発明は上記実施の形態に限定して解釈されるべきではなく、適宜変更、改良が可能であることは勿論である。例えば、図５（ｂ）に示す様に、フレキシブル基板８００の代わりに、異なる２種のフレキシブル基板８１０ａ、８１０ｂを用い、フレキシブル基板８００における折り返し部８０１ｂに相当する位置で、半田等により接合して、接合部８１２ａを粘着テープａ８０２ａによって、外周面を固定する様な構成にしてもよい。この様にすることで配線パターンが断線することなく、信頼性が大きく向上する。更に、折り返し部８０１ｂ、接合部８１２ｂの形状（面積）を大きくして、フレアカッタとしての効果を増大させることもできる。
【００５４】
また、本発明は、２段繰り出し、沈胴式ズームレンズ鏡胴のみならず、３段以上の多段繰り出しズームレンズ鏡筒や、固定焦点の沈胴式レンズ鏡胴にも適用が可能である。
【図面の簡単な説明】
【００５５】
【図１】本発明に係る撮像装置の正面図、及び、側面図である。
【図２】本発明に係るレンズ鏡胴が望遠端にある時の状態を示す断面図である。
【図３】本発明に係るレンズ鏡胴が広角端にある時の状態を示す断面図である。
【図４】本発明に係るレンズ鏡胴が沈胴時にある状態を示す断面図である。
【図５】本発明に係るフレキシブルプリント配線基板の模式図である。
【図６】従来技術に係るフレキシブルプリント配線基板の模式図である
【図７】従来技術に係るフレキシブルプリント配線基板の模式図である。
【符号の説明】
【００５６】
１  デジタルカメラ
１０  レンズ鏡胴
２０  カメラ本体
１００  固定筒
１０１  雌ヘリコイド
１０２  開口部
２００  回転筒
２０１  雄ヘリコイド
２０２  ギア部
３００  直進筒
３０１  突起
４００  カム筒
４０１  駆動ピン
５００  第１レンズ群
５１０  第１レンズ枠
６００  第２レンズ群
６１０  第２レンズ枠
７００  第３レンズ群
７１０  第３レンズ枠
８００、８１０ａ、８１０ｂ  フレキシブルプリント配線基板
８０１ａ  第１曲折部
８０１ｂ  折り返し部
８０１ｃ  第２曲折部
８０１ｄ  第３曲折部
８０１ｅ  固定部
８０１ｆ  接続部
８０２ａ、８０２ｂ  粘着テープ
８１１  半田パターン
８１２ａ  接合部
Ｌ１、Ｌ２  光路
９１０  シャッタユニット
９２０  セクタ
９３０  ＣＣＤエリアセンサ
【図１】
2006313249.tif 000003
【図２】
2006313249.tif 000004
【図３】
2006313249.tif 000005
【図４】
2006313249.tif 000006
【図５】
2006313249.tif 000007
【図６】
2006313249.tif 000008
【図７】
2006313249.tif 000009